(57)【特許請求の範囲】
【請求項１】
観察行動データを収集し処理する方法であって、該観察行動データは、ユーザがビデオデータを観察する際にユーザの観察挙動に関するものであり、該観察行動データを処理するように構成されたセンタに通信ネットワークを介して送信され、
仮想網膜表示装置を介して該ユーザの網膜に直接該ビデオデータを投影するステップと、
該投影するステップの間に、該仮想網膜表示装置の着眼位置測定モジュールによって該ユーザのその時点での着眼位置を判定することで、該観察されたビデオデータと関連する該ユーザの視線方向に関するデータを決定するステップと、
該ビデオデータと関連するビデオ識別データを決定するステップと、
該観察されたビデオデータと関連する該ユーザの視線方向に関する該データと該決定されたビデオ識別データとを少なくとも含む該観察行動データを該センタに送信するステップと、
該観察行動データに含まれる該ビデオ識別データに基づいて、該センタにおいて、該観察行動データとそれぞれのビデオデータとを関連させるステップと、
該それぞれのビデオデータに関連する該観察行動データに基づいて、該それぞれのビデオデータの一部分である単一の画像の画像領域を、該センタにおいて決定するステップと、
該それぞれのビデオデータと関連する該ユーザの視線方向に関する該データに基づくと共に、対象物の指定と位置とを含む格納された画像的内容記述に基づいて、該それぞれのビデオデータに含まれる画像対象物と該視線方向との間の相関を該センタにおいて決定するステップとを含む方法。
【請求項２】
請求項１に記載の方法において、
その時点での着眼位置と事前に定義された数値とを比較するステップと、
該比較するステップの結果に基づいて、事前に定義されたイベントをトリガするステップとをさらに含む方法。
【請求項３】
請求項１に記載の方法において、該観察行動データが該センタに格納され、時間的に後の時点で統計的に評価される方法。
【請求項４】
請求項１に記載の方法において、該観察行動データは、ユーザの識別データを含む方法。
【請求項５】
請求項１に記載の方法において、該観察行動データは時間データを含む方法。
【請求項６】
請求項１に記載の方法において、該通信ネットワークは移動無線通信ネットワークである方法。
【請求項７】
システムであって、
通信ネットワークを介して装置に接続されたセンタを含み、該装置は、観察行動データを収集し処理するように構成され、該観察行動データは、ユーザがビデオデータを観察する際にユーザの観察挙動に関するものであり、該ビデオデータは、該装置の表示装置を介して再生され、該装置は、フィードバックモジュールを含み、
該表示装置は、該ユーザの網膜に直接該ビデオデータを投影するように構成された仮想網膜表示装置であり、
該仮想網膜表示装置は、該ビデオデータの投影の間に、該ユーザのその時点での着眼位置を判定することで、該観察されたビデオデータと関連する該ユーザの視線方向に関するデータを決定するように構成された着眼位置測定モジュールを含み、
該装置は、該ビデオデータと関連するビデオ識別データを決定するように構成されたビデオ識別モジュールを含み、
該フィードバックモジュールは、該観察行動データに基づいて、再生されて該ユーザによって観察されたビデオデータの一部分である単一の画像の画像領域を決定するために、該観察されたビデオデータと関連する該ユーザの視線方向に関する該データと該決定されたビデオ識別データとを少なくとも含む該観察行動データを該通信ネットワークを介して該センタに送信するように構成され、
該センタは、該観察行動データに含まれる該ビデオ識別データに基づいて、該観察行動データとそれぞれのビデオデータとを関連させ、該観察されたビデオデータと関連する該ユーザの視線方向に関する該データに基づくと共に、対象物の指定と位置とを含む格納された画像的内容記述に基づいて、該それぞれのビデオデータに含まれる画像対象物と該視線方向との間の相関を決定するように構成されるシステム。
【請求項８】
請求項７に記載のシステムにおいて、該装置は、
その時点での着眼位置と事前に定義された値とを比較する手段と、
該比較する手段が比較した結果に基づいて、事前に定義されたイベントをトリガする手段とを含むシステム。
【請求項９】
請求項７又は８に記載のシステムにおいて、
該装置は、ユーザ識別データを備え、ユーザに割り当てられるように構成された識別モジュールを含み、
該観察行動データは、該ユーザ識別データを含むシステム。
【請求項１０】
請求項７乃至９の何れか１項に記載のシステムにおいて、
該装置は、その時点の時間を決定するように構成された時間測定モジュールを含み、
該観察行動データは、時間表示を含むシステム。
【請求項１１】
請求項７乃至１０の何れか１項に記載のシステムにおいて、
該装置は、移動機器として設計され、
該通信ネットワークは、移動無線ネットワークであり、
該装置は、該移動無線ネットワークを介して通信するように構成されるシステム。
【発明の詳細な説明】
【０００１】
本発明は、観察行動データを収集、処理する方法、装置、システムに関する。本発明は特に、ユーザがビデオ情報を観察するにあたってのその視覚的挙動に関する観察行動データを収集、処理する方法、装置、システムに関する。
【０００２】
今日では特にマーケティング目的で、テレビ視聴者の視覚的挙動が統計的に収集、評価されている。それは１つには、どのプログラムがまたはどのテレビ放送局が、どのくらいの頻度で誰に見られているかを調査するため、２つには、把握されたテレビ視聴者からその選択されたプログラムに対する質的評価を得るためである。たとえば特許出願ＷＯ９４／１５４１７Ａには、マーケットリサーチ目的でユーザのテレビ受像機利用をモニターし把握する、移動型データ収集機器が記載されている。しかし在来型のデータ収集機器とその方法は、画像レベルにおけるユーザの視覚的行動を把握するのには、すなわち、個人および／またはグループが動くかつ／または静止している具体的なビデオ情報を観察するにあたって、その視覚的挙動を統計的に把握するには適当でない。
特許出願ＷＯ９０／０２４５３には、テレビ視聴者をモニタリングするシステムと方法が記載されている。ＷＯ９０／０２４５３によれば、１人の視聴者がテレビ受像機の前の定義された視覚的領域内にあるとき、その視聴者の眼から反射される光線を、適当な受信装置で検知する。この受信装置はたとえばテレビ受像機の上に置かれているものとする。受信装置では、検知された反射光線を用いて、当該視聴者がテレビスクリーンを観察しているかどうかを測定する。観察時間と選択されたテレビチャンネルに関するデータは、ＷＯ９０／０２４５３に従って記憶され、電話回線ネットワークを経由してセンタに転送される。ＷＯ９０／０２４５３に記載のこのシステムは、定義された可視領域内部における視聴者の検知に限定され、そのスクリーンが視聴者に観察されているかいないかを探知できるだけである。従って、視聴者がテレビスクリーンで観察している画像領域または画像対象物に関するデータは、いかなるものも得られない。
【０００３】
本発明の課題は、ユーザがビデオ情報を観察する際の視覚的挙動を把握することを可能にするような、観察行動データを収集、処理するための、新しくて改善された方法、装置、ならびにシステムを提案することである。
本発明ではこの目標を、特に独立請求項の諸要素によって達成する。そのほかの有利な発展形態は、特に従属請求項と明細書に記した。
【０００４】
この目標を本発明では特に次により達成する。まず、たとえば転送されたテレビプログラムの、および再生され記憶されたビデオシーケンスや画像またはグラフィックスの静止画や動画のようなビデオ情報が観察されるにあたって、ユーザの視線方向に関するデータを観察されたビデオ情報との関連において測定するが、この測定は、前記のビデオ情報を仮想網膜表示装置によってユーザの網膜に直接投影し、その時点のユーザの着眼位置を測定することにより行う。次に、少なくとも視線方向に関するこれらのデータを含む観察行動データを評価ユニットに、たとえば通信ネットワークを経由して１つのセンタに転送することによって目標を達成する。この方法には、ユーザの視線方向を、観察されたビデオ情報との関連において測定でき、その際ユーザの水平方向または垂直方向の頭の動きを同時に考慮する必要がないという利点がある。さらには、視聴者がビデオ情報を観察するにあたって、その視覚的習慣に関する観察行動データを、特に再生されたビデオ情報のどの画像部分が観察されるかに関するデータを、中央に集中して収集することが可能となる。そうすれば収集された観察行動データをセンタでさらなる評価に利用することができ、特に個人ユーザレベルで、たとえば照会または製品注文のためのダイアローグといった、インタラクティブなプロセスをトリガするため、および／または制御するためにこれらのデータを使用することができる。
【０００６】
好ましい一実施形態では、たとえば表示装置をもつ装置においてまたはセンタにおいて、その時点の着眼位置を事前に定義された数値と比較する。そしてこの比較の結果に基づいて、たとえば表示装置をもつ装置においてまたはセンタにおいて、たとえば注文手続きまたは情報特にビデオ情報の転送といった、事前に定義されたイベントがトリガされる。この方法には、これによりグラフィカルなユーザインタフェースを設けることができ、ユーザはこのインタフェースを、手を使うことなく自分の目のポジショニングにより制御できるという利点がある。
【０００７】
一実施形態では、センタに転送された観察行動データは、たとえばそれぞれユーザに割り当てられているＳＩＭカード（Ｓｕｂｓｃｒｉｂｅｒ  Ｉｄｅｎｔｉｆｉｃａｔｉｏｎ  Ｍｏｄｕｌｅ）といった識別モジュールに由来するユーザ識別データを含む。これにより、収集された観察行動データの評価と使用を、前記のように個人ユーザレベルで行うことができ、また該当するユーザに関して追加的に知られている情報を、収集された観察行動データの評価や転送に含めることができるようになる。
【０００８】
一実施形態では、センタに転送された観察行動データはビデオ識別情報を含む。これは特に、ビデオ情報のソースと観察行動データを収集するセンタが、別個に設けられている場合に有利であって、収集された観察行動データを評価し、さらに使用する場合、これらデータを該当するビデオ情報に割り当てることができる。
【０００９】
一実施形態では、センタに転送された観察行動データは時間データを含む。ビデオ情報の種類に応じて、たとえばテレビプログラムによるビデオ情報の伝送の場合、収集された観察行動データを評価し、さらに使用する場合、これらデータを該当するビデオ情報に割り当てるのに、前記時間データを使用することができる。
【００１０】
好ましくは、収集されて転送された観察行動データをセンタに、たとえば観察行動データバンクに供給し、後の時点でも、特に統計的評価のため利用できるようにする。
【００１１】
一実施形態では、前記の通信ネットワークは移動無線通信ネットワーク、たとえばＧＳＭ、またはＵＭＴＳネットワーク、またはその他のたとえば衛星ベースの移動無線通信ネットワークである。これはビデオ情報の観察行動の場合、個々の観察行動データの収集を、固定されたネットワーク端末に依存せずに、移動しながら実行できるという利点がある。
【００１２】
下記に本発明の実施形態を、例を用いて説明する。唯一添付された図は、この実施形態の例である。
【００１３】
図１はそのシステムのブロック図であって、通信ネットワークを経由して１つの装置と、特にビデオ表示装置を備える通信端末機器と結合されたセンタの略図を示す。このビデオ表示装置は、ビデオデータを眼の網膜に投影するものであり、ユーザの現時点の着眼位置を測定する着眼位置測定モジュールを備える。
【００１４】
図１の参照番号４は１つの装置、特に通信端末機器、たとえば固定設置された通信端末機器４、たとえば電話または通信可能なパーソナルコンピュータである。この通信端末機器は、固定ネットワーク３を経由して、たとえば接続された公共の電話回線ネットワーク、ＩＳＤＮネットワーク（Ｉｎｔｅｇｒａｔｅｄ  Ｓｅｒｖｉｃｅ  Ｄｉｇｉｔａｌ  Ｎｅｔｗｏｒｋ）、ＩＰベースのネットワーク（Ｉｎｔｅｒｎｅｔ  Ｐｒｏｔｏｃｏｌ）、またはＷＡＮ（Ｗｉｄｅ  Ａｒｅａ  Ｎｅｔｗｏｒｋ）、またはＬＡＮ（Ｌｏｃａｌ  Ａｒｅａ  Ｎｅｔｗｏｒｋ）を経由して、センタ２とデータを交換することができる。あるいはこの装置は移動通信端末機器４、すなわち移動ユニット４、たとえば移動無線電話または通信可能なラップトップまたはパームトップコンピュータであって、この移動ユニットは、移動電話回線ネットワークを経由して、たとえばＧＳＭまたはＵＭＴＳネットワーク、またはその他のたとえば衛星基盤移動無線電話回線ネットワークを経由して、センタ２とデータを交換することができる。これらのデータ交換は、ＳＭＳメッセージ（Ｓｈｏｒｔ  Ｍｅｓｓａｇｅ  Ｓｅｒｖｉｃｅｓ）、ＵＳＳＤメッセージ（Ｕｎｓｔｒｕｃｔｕｒｅｄ  Ｓｕｐｐｌｅｍｅｎｔａｒｙ  Ｓｅｒｖｉｃｅｓ  Ｄａｔａ）、ＧＰＲＳサービス（Ｇｅｎｅｒａｔｅｄ  Ｐａｃｋｅｔ  Ｒａｄｉｏ  Ｓｅｒｖｉｃｅ）の力を借りて、あるいはサービスチャンネルの適当なプロトコルによって行われる。
【００１５】
センタ２はたとえば市場に提供されている通信サーバーを基盤とし、この通信サーバーは、必要なハード−およびソフトウェアコンポーネントを持つ通信モジュール２１を備え、通信ネットワーク３を経由して通信端末機器４と通信する。センタ２は直接に、あるいは適当なネットワークエレメントを経由して、たとえばＭｏｂｉｌ  Ｓｗｉｔｃｈｉｎｇ  Ｓｔａｔｉｏｎ（ＭＳＣ）を経由して、通信ネットワーク３と結合され、同一または別個のコンピュータに常時設けられているデータバンク２４を備える。
【００１６】
図１に示すように、通信端末機器４はビデオ表示装置４１を備え、この表示装置は、対応するビデオ信号を投影することにより、通信端末機器４を使用するユーザの眼５の網膜５１にビデオ情報を再生する。このビデオ情報はたとえば、伝送されたテレビプログラムの、あるいは転送されて記憶されたビデオシーケンス、画像またはグラフィックの静止した、または動く画像であって、これらの画像はたとえばセンタ２から、あるいは常時接触を保つビデオインタフェースを経由して通信端末機器４と結合されたビデオソース６から、たとえばビデオカセットレコーダ、またはデータ媒体に記憶されたデジタルビデオ情報の再生機器から引き出され、または供給される。
【００１７】
ビデオ表示装置４１は、観察者の網膜５１に画像信号を直接投影できるものであって、いわゆる仮想網膜表示装置（Ｖｉｒｔｕａｌ  Ｒｅｔｉｎａｌ  Ｄｉｓｐｌａｙ、ＶＲＤ）である。これは特許出願ＷＯ９４／０９４７２およびＷＯ９７／３７３３９に記載されている。この仮想網膜表示装置は、ビデオインタフェースを経由してビデオ情報を供給される。この供給は、たとえばＲＧＢ信号、ＮＴＳＣ信号、ＶＧＡ信号、またはそのほかのフォーマット化されたカラーまたはモノクロームのビデオまたはグラフィックス信号の形態で行われる。前記の特許文書ＷＯ９４／０９４７２およびＷＯ９７／３７３３９に記載の仮想網膜表示装置、ないしはそこに記載のビデオインタフェースを適合させて、ほかのフォーマットのテレビ信号および特にデジタルビデオデータを効率的に受け取ることができるようにすれば有利であることを、専門家は理解するであろう。ここには示さないインタフェースモジュールを用いて、テレビ信号やビデオデータを、適切にビデオインタフェースに適合させることができ、あるいは得られたビデオデータを変換して、そのビデオデータをそれらビデオインタフェースに適用できるようにすることができる。
【００１８】
ビデオ表示装置４１および通信端末機器４のそのほかのコンポーネントは、１つの共通のハウジング中に、または別個のハウジング中に設けることができる。その際ビデオ表示装置４１は、一方のハウジング中で、たとえば有線接続または無線接続されたインタフェースを経由して、他方のハウジング中のコンポーネントと結合されている。
【００１９】
図１に略図で示すように、ビデオ表示装置４１は着眼位置測定モジュール４１１を備え、このモジュールは、ユーザがビデオ情報を観察するときのその時点の着眼位置を測定し、前記のインタフェースを経由して、またはさらなる有線接続または無線接続のインタフェースを経由して、通信端末機器４のフィードバックモジュールに導くことができる。着眼位置測定モジュール（Ｅｙｅ  Ｔｒａｃｋｅｒ）は、ユーザの瞳５２の位置に基づいてその時点の着眼位置を測定するものであって、これも同様に特許出願ＷＯ９４／０９４７２に記載されている。測定された着眼位置を、適当なインタフェースを経由して、ビデオ表示装置４１の外部にあるコンポーネントが得られるよう、専門家はこのモジュールを拡大することができる。実施形態によっては、左右の目に対する数値がえられるようにすることができる。
【００２０】
通信端末機器４のフィードバックモジュール４２、たとえば通信端末機器４のプロセッサー上に設けられた、プログラミングされたソフトウェアモジュールは、ユーザの現時点で測定された着眼位置を、場合によってはそのほかの観察行動データといっしょに、１つの評価ユニットに、たとえば通信端末機器４のプログラミングされたソフトウェアモジュールに、または特に通信端末機器４の通信サービスの力を借りて、通信ネットワーク３を経由してセンタ２に転送する。センタ２では、現時点の着眼位置を含む転送された観察行動データを、通信モジュール２１から受け取り、処理モジュール２３に導く。
【００２１】
実施形態および応用分野に応じて、通信端末機器４は、観察行動データにデータを寄与するそのほかのモジュール４３、４４、４５、４６を備える。
【００２２】
時間測定モジュール４３はその時点の時間を測定して、測定されたその時点の時間をフィードバックモジュール４２に伝送する。このデータは測定されたその時点の着眼位置といっしょに観察行動データとして、そこからセンタ２に転送される。測定された着眼位置の時点の特定だけでなく、この時間データは、この時点に観察されたビデオ情報の識別にも使用できる。たとえばこの時点に視聴されたテレビチャンネルがわかっている場合である。
【００２３】
入力モジュール４４によって、ユーザはユーザデータを入力し、フィードバックモジュール４２を用いて、このデータを観察行動データといっしょに、あるいは別々に、センタ２に伝送することができる。ユーザデータはたとえば定性的なデータであって、たとえばセンタ２に転送される評価スケールまたは命令または応答の数値である。入力モジュール４４は、たとえば操作エレメントとそれに対応するプログラミングされたソフトウェアモジュールを備え、後者のモジュールは操作エレメントによって入力されたユーザデータを受け取ることができる。入力モジュール４４はプログラミングされたソフトウェアモジュールとすることもできる。このソフトウエラモジュールは、たとえば指定された時点に、あるいはビデオソース６からまたはセンタ２から通信端末機器４に転送される事前定義された信号または命令に対する応答として、測定されたその時点の着眼位置をユーザデータとしてセンタ２に転送する。あるいは前記の評価ユニットの機能の中で、測定されたその時点の着眼位置を、事前定義された位置値と、またはビデオソース６またはセンタ２から通信端末機器４に転送される位置値と比較する。そしてこの比較に基づいて、位置値に対応する操作を実行し、イベントをトリガし、かつ／または命令、応答または評価をユーザデータとして、センタ２に伝送する。この比較操作はセンタ２でも実行して、その後細部に立ち入ることができる。従ってこのような入力モジュール４４によって、仮想網膜表示装置４１、ないしこの仮想網膜表示装置４１を持つ通信端末機器４を、グラフィカルなユーザインタフェースとして用いることができるようになる。ユーザはその着眼のポジショニングによって、このインタフェースを次のような方法で制御することができる。すなわち仮想網膜表示装置を用いて、前記の位置値に対応する画像領域にあるＧＵＩ（Ｇｒａｐｈｉｃａｌ  Ｕｓｅｒ  Ｉｎｔｅｒｆａｃｅ）対象物を、ユーザの網膜に投影するという方法である。このようなグラフィカルなユーザインタフェースに対応するビデオ情報を、たとえばセンタ２からも通信端末機器４に転送することができる。
【００２４】
識別モジュール４５たとえばＳＩＭカード（Ｓｕｂｓｃｒｉｂｅｒ  Ｉｄｅｎｔｉｆｉｃａｔｉｏｎ  Ｍｏｄｕｌｅ）はユーザ識別データを、たとえばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）および／または個人的なバイオメトリカルコード、ないしはフィードバックモジュール４２からほかの観察行動データとともにセンタ２に転送できるコードを含む。これは特に次の場合に役に立つ。すなわち、センタ２で個別のユーザレベルの観察行動データをさらに処理しまたは評価する場合、あるいはセンタ２でそのほかのユーザ固有のデータを、たとえば受信契約者データバンクからの氏名や住所の情報を付け加えて、観察行動データをさらに処理する場合である。
【００２５】
ビデオ識別モジュール４６、たとえばプログラミングされたソフトウェアモジュールは、その時点のビデオ情報に対してビデオ識別データを、たとえばその時点のテレビチャンネル、ビデオのタイトルにその時点のビデオフレームのその時点のシーケンス番号を付したものまたはそのほかのデータを特定し、特定されたビデオ識別データをフィードバックモジュール４２に送って、他の観察行動データとともにセンタ２へ転送させる。
【００２６】
受信された観察行動データは、センタ２の処理モジュール２３、たとえばプログラミングされたソフトウェアモジュールによって評価され、かつ／または観察行動データバンク２４に記憶される。受信された観察行動データを処理モジュール２３で直接評価することは、特にそこに含まれているその時点の着眼位置に基づいて、事前定義されたイベントをトリガしたい場合に特に有意義である。たとえば仮想網膜表示装置４１を持つ通信端末機器４は、上に述べたようにグラフィカルなユーザインタフェースとして使用することができ、ユーザはこのインタフェースを着眼位置によって制御する。これにより、再生されたビデオ情報の事前定義された画像領域に対応する着眼位置は、センタ２でイベントをトリガすることができる。たとえば処理モジュール２３によって製品−および／またはサービス注文手続きをトリガすることができる。あるいは情報、特にビデオ情報を、通信ネットワーク３を経由して通信端末機器４に伝送し、表示装置４１を介して再生させることができる。これにより特にＣｌｉｅｎｔ／ＳｅｒｖｅｒタイプのＧＵＩ利用を実現することができる。記憶された観察行動データには、たとえばその後の時点で、統計的評価を行うこともできる。たとえば、どのユーザが何名、再生されたビデオ情報の特定の画像領域を観察しているか、ないしは観察していないかを調査することができ、これはたとえばコマーシャルフィルムの評価にとって興味あることがある。もう１つの実施形態では、処理モジュール２３が着眼位置の評価の際、ビデオ情報に含まれている識別されたビデオ対象物をもさらに考慮するので、着眼位置とこれら識別された対象物との相関関係を調査することができる。この最後に挙げた変形形態を実施するにはたとえば、該当するビデオ情報を前もって適当な画像処理手段により次のように分析することができる。すなわち、この情報の画像的内容を抽象的な形態で、たとえば対象物の名称、ベクトルおよび／または座標軸データにより記述できるようにすることができるようにする。このような抽象的な内容記述は、たとえば該当するビデオデータとともにデータバンク２４に記憶して、処理モジュール２３に導くことができる。収集された観察行動データは、たとえばユーザごとにユーザプロフィールとして記憶し、さらに処理することができる。
【００２７】
ここではっきりと指摘しておきたいのは、装置４では仮想網膜表示装置４１を入力モジュール４４とともに、評価ユニットの機能の中でＧＵＩユーザインタフェースとして使用できるが、その際センタ２とデータを交換する必要がないということである。このことには、ほかの操作エレメントまたはユーザの手を用いなくても、装置４を制御できるという利点があり、これは特に通信能力のないコンピュータにとっても興味ある場合がある。
【００２８】
興味を持つユーザは、ここに述べた装置４を一式、特に通信端末機器４を販売し、あるいは賃貸することができる。次のような拡張セットを販売するのは、経済的にも興味ある場合がある。すなわち、在来型の装置特に在来型の通信端末機器を拡張して、前記の装置４特に前記の通信端末機器４とするのに必要なコンポーネントを含む拡張セットである。この拡張セットは特に次のようなデータ媒体、すなわちプログラミングされたフィードバックモジュール４２と、プログラミングされた入力モジュール４４と、プログラミングされたビデオ識別モジュール４６とを記憶し、場合によっては時間測定モジュール４３をもつデータ媒体をも備える。興味を持つシステム運用者には、システム一式をライセンス付与の下に提供し、あるいは次のようなデータ媒体を販売することができる。すなわち、通信モジュール２１が必要とするハードウェアコンポーネントを備える在来型の通信サーバーを、前記のセンタ２として運用するため、プログラミングされた通信モジュール２１、処理モジュール２３および場合によっては観察行動データバンク２４を備えるデータ媒体である。
【図面の簡単な説明】
【図１】  図１は本発明の実施形態のシステムを示すブロック図である。
【符号の説明】
１  システム
２  センタ
３  通信ネットワーク（移動無線通信ネットワーク）
４  装置（通信端末機器、移動機器）
５  眼
６  ビデオソース
２１  通信モジュール
２３  処理モジュール
２４  データバンク（観察行動データバンク）
４１  ビデオ表示装置（仮想網膜表示装置）
４２  フィードバックモジュール
４３  時間測定モジュール
４４  入力モジュール
４５  識別モジュール（ＳＩＭカード）
４６  ビデオ識別モジュール
５１  網膜
５２  瞳
４１１  着眼位置測定モジュール
【図１】
0004399519.tif 000002